(57)【要約】【課題】Ｏ脚の患者が自分で開脚運動を容易に行なうことができる開脚器を提供する。【解決手段】両脚の開脚運動を行なうための開脚器であって、（ａ）ベースと、（ｂ）根元側端部が該ベースに回転自在に連結され、先端部が患者の足に押し当てられる一対のアームと、（ｃ）一端が該一対のアームに固着され、他端が患者の手によって把持される一対の線状部材とからなる開脚器。【選択図】　　　　図１
0003097592.tif 000002
【実用新案登録請求の範囲】
【請求項１】
両脚の開脚運動を行なうための開脚器であって、
（ａ）ベースと、
（ｂ）根元側端部が該ベースに回転自在に連結され、先端部が患者の足に押し当てられる一対のアームと、
（ｃ）一端が該一対のアームに固着され、他端が患者の手によって把持される一対の線状部材とからなる開脚器。
【請求項２】
前記アームの先端部に滑り止めが設けられている請求項１記載の開脚器。
【請求項３】
前記アームに振動を与えるための振動発生手段を備えている請求項１または２記載の開脚器。
【請求項４】
前記アームの根元側端部付近において、当該アームの外側面から内側面にかけて貫通孔が形成され、該貫通孔に前記線状部材が挿入されている請求項１、２または３記載の開脚器。
【請求項５】
前記線状部材が、前記アームの根元側端部の外周面に沿って掛け回されることにより、当該アームの外周面から内周面にかけて延びるように配設されている請求項１、２または３記載の開脚器。
【考案の詳細な説明】
【０００１】
【考案の属する技術分野】
本考案は開脚器に関する。さらに詳しくは、たとえばひざ痛に悩む患者が自分で開脚運動を容易に行なうことができる開脚器に関する。
【０００２】
【従来の技術および考案が解決しようとする課題】
我が国では、畳の上に正座をするという生活習慣などが原因でひざ痛に悩む人が多い。とくに高齢者の場合は、関節における軟骨が加齢によって徐々にすり減ってくるため、ほとんどの者がひざ痛を抱えているというのが現状である。
【０００３】
ひざが痛いと、その痛みを少しでも和らげるためにひざを不自然に曲げて歩くようになり、これが習慣化されると脚が、たとえばＯ脚になり、このＯ脚がひどくなるとひざ痛とも相俟って歩行すらできなくなることがある。
【０００４】
そこで、このようなひざの変形（Ｏ脚）を矯正するために、たとえばひざの外側の骨の一部を削るなどの外科的治療が行なわれているが、その効果はあまりなく、ひざ痛の根本的解決にはなっていない。
【０００５】
本考案はかかる問題を解消するためになされたものであり、開脚運動をくり返すことによりひざの変形が矯正され、これによりひざ痛も緩和されるという知見に基づいている。すなわち、本考案は、ひざ痛に悩む患者が自分で開脚運動を容易に行ない、ひざの変形を矯正することができる開脚器を提供することを目的とする。
【０００６】
【課題を解決するための手段】
本考案の開脚器は、両脚の開脚運動を行なうための開脚器であって、
（ａ）ベースと、
（ｂ）根元側端部が該ベースに回転自在に連結され、先端部が患者の足に押し当てられる一対のアームと、
（ｃ）一端が該一対のアームに固着され、他端が患者の手によって把持される一対の線状部材
とからなることを特徴とする。
【０００７】
前記アームの先端部に滑り止めが設けられているのが好ましい。
【０００８】
前記アームに振動を与えるための振動発生手段を備えているのが好ましい。
【０００９】
前記アームの根元側端部付近において、当該アームの外側面から内側面にかけて貫通孔が形成され、該貫通孔に前記線状部材が挿入されているのが好ましい。
【００１０】
前記線状部材が、前記アームの根元側端部の外周面に沿って掛け回されることにより、当該アームの外周面から内周面にかけて延びるように配設されているのが好ましい。
【００１１】
【考案の実施の形態】
つぎに図面を参照しながら本考案の開脚器をさらに詳細に説明する。図１は本考案の開脚器の一実施の形態を示す平面説明図および図２は本考案の開脚器の他の実施の形態を示す平面説明図である。
【００１２】
ひざ痛に悩むＯ脚患者の両脚の開脚運動を行なうための本実施の形態の開脚器１は、図１に示されるように、ベース２と、一対のアーム３、４と、該アーム３、４を操作するための一対の線状部材５、６と、前記アーム３、４に振動を与えるための振動発生手段であるバイブレータ７とから構成されている。
【００１３】
ベース２は、金属または合成樹脂などで作製された一枚のプレートからなり、このベース２の上側には、アーム３、４の根元側端部およびバイブレータ７を保護するためのカバー（図示せず）が設けられている。ベース２の形状は、本考案においてとくに限定されるものではなく、図示された矩形以外に円形、だ円形、多角形など他の形状を採用することもできる。
【００１４】
アーム３、４は、合成樹脂または木材などで作製された棒状体からなり、アーム３、４の根元側端部３ａ、４ａがベース２に回転軸８を介して回転自在に連結され、アーム３、４の先端部３ｂ、４ｂが後述する滑り止め１０を介して患者の足Ｆに押し当てられるようになっている。アーム３、４の長さは、とくに限定されないが、通常、８０〜１２０ｃｍの中から選ばれる。
【００１５】
線状部材５、６は、ひも、ロープ、ワイヤまたはチェーンなどで作製された可撓性を有する線材からなる。線状部材５、６の一端５ａ、６ａは、一対のアーム３、４の先端側（患者の足に当接される側）の貫通孔３ｃ、４ｃに挿入され、一対のアーム３、４の内側面において固定具９によって貫通孔３ｃ、４ｃから抜けないように固定されている。また、線状部材５、６の途中の部分は、アーム３、４の外側面に沿って延び、当該アーム３、４の根元側（ベース２側）の貫通孔３ｄ、４ｄに挿入されて、アーム３、４の内側に延びている。線状部材５、６の他端５ｂ、６ｂは、患者の手Ｈによって把持される。
【００１６】
なお、線状部材５、６の一端５ａ、６ａは、前述した固定具９を用いることなく、単に結ぶことで貫通孔３ｃ、４ｃから抜けるのを防ぐようにしてもよく、また接着剤やステップルなどの金具を用いてアームに固定するようにしてもよく、その固定方法は、本考案において限定されるものではない。また、貫通孔３ｃ、４ｃを省略して、アーム３、４の外側面に線状部材５、６の一端５ａ、６ａを直接固定するようにしてもよい。
【００１７】
患者の手Ｈによって把持される線状部材５、６の他端５ｂ、６ｂには、患者が把持し易いように輪を形成したり、または手で握り易い大きさおよび形状（たとえば円柱状）の把持具（図示せず）を取り付けてもよい。
【００１８】
また、図１に示される開脚器１では、アーム３、４の先端部３ｂ、４ｂに、天然または合成皮革や、天然または合成ゴムなどで作製され、キャップ状などの形状を呈する滑り止め１０が配設されているため、足Ｆとのあいだの摩擦が大きくなって先端部３ｂ、４ｂが滑りにくくなり、開脚運動が容易になる。
【００１９】
以上の構成からなる本実施の形態の開脚器１を用いてＯ脚の矯正を行なう場合、まず、アーム３、４の先端部３ｂ、４ｂの滑り止め１０を患者の足Ｆ（たとえば、足Ｆの内側のくるぶしとかかととのあいだの凹み付近）に押し当てるとともに、線状部材５、６の他端５ｂ、６ｂを患者が把持する。そして、線状部材５、６を自分の方に向かって引っ張れば、アーム３、４の先端部３ｂ、４ｂが足Ｆを外方向へ押圧するとともにアーム３、４は足Ｆを支点にして時計回りに回転する。それとともに、アーム３、４の根元側端部３ａ、４ａは、ベース２の回転軸８まわりに時計回りに回転する。したがって、線状部材５、６の引き操作のみで、アーム３、４によって左右両方の脚Ｌを同時に外方向へ押し広げることができるため、自分で開脚運動を行なうことができ、その結果、Ｏ脚の矯正を容易に行なうことができる。
【００２０】
また、図１に示される開脚器１では、アームの根元側端部３ａ、４ａ付近において、アーム３、４の外側面から内側面にかけて形成された貫通孔３ｄ、４ｄに線状部材５、６が挿入されているため、線状部材５、６がアーム３、４から脱落するのが防止され、開脚運動がさらに容易になる。
【００２１】
さらに、図１に示されるように、アーム３、４に振動を与えるための従来公知の偏心モータなどを備えたバイブレータ７がベース１に設けられているため、前述の開脚運動をしながらアーム３、４を介して、ひざを含む脚Ｌに振動を与えることができるため、脚Ｌの関節部分などが開脚運動中に適度にほぐされる。その結果、開脚運動がさらに容易になり、マッサージ効果とも相俟ってＯ脚の矯正効果が高められる。
【００２２】
前記バイブレータ７は、ベース１に代えて両アーム３、４に取り付けるようにしてもよいし、またベース１と両アーム３、４のすべてに取り付けるようにしてもよい。バイブレータ７の電源について、大きな振動力が得られるという点からは商用電源を用いるのが好ましいが、どこでも利用できる携帯用の開脚器の場合には充電式の電池などを用いるのが好ましい。
【００２３】
以上の図１に示される開脚器１では、アーム３、４の貫通孔３ｄ、４ｄに線状部材５、６が挿入されているが、本考案はこれに限定されるものではない。本考案の他の実施の形態として、図２に示される開脚器１１では、線状部材５、６が、アーム３、４の根元側端部３ａ、４ａの外周面に沿って掛け回されることにより、アーム３、４の外周面から内周面にかけて延びるように配設されている。なお、図２において、図１と同一の符号で示される部分または要素は、図１と同一のものを示している。
【００２４】
図２に示される開脚器１１では、図１に示されるような線状部材５、６が貫通孔３ｄ、４ｄの部分に掛け回されている場合と比較して、線状部材５、６が掛け回される根元側端部３ａ、４ａはアーム３、４の揺動中心となる先端部３ｂ、４ｂから遠くなる。したがって、線状部材５、６を小さい操作力で引っ張るだけで開脚運動をさらに容易に行なうことができる。
【００２５】
【考案の効果】
本考案によれば、Ｏ脚の患者が、補助者を要することなく自分で開脚運動を容易に行なうことができる。しかも、脚を広げる力を手で簡単にコントロールすることができるので、ひざの調子に合わせて適度な強度およびサイクルで開脚運動を行なうことができる。
【００２６】
また、本考案の開脚器は、構造が簡単であるため、安価に製造することができるとともに操作も容易である。したがって、本考案の開脚器は、病院だけでなく、一般家庭、老人ホームまたはスポーツ施設などで広く利用することができる。
【図面の簡単な説明】
【図１】本考案の開脚器の一実施の形態を示す平面説明図である。
【図２】本考案の開脚器の他の実施の形態を示す平面説明図である。
【符号の説明】
１、１１　開脚器
２　ベース
３、４　アーム
５、６　線状部材
７　バイブレータ
８　回転軸
９　固定具
１０　滑り止め
【図１】
0003097592.tif 000003
【図２】
0003097592.tif 000004